(57)【特許請求の範囲】
【請求項１】
上端縁から前方に延出するフランジ(40a)が形成されたタンク(40)の外周囲を断熱材(42)で被覆した断熱構造の冷却槽(36)と、前方に開放する開口部(38b)が形成され、前記冷却槽(36)を覆うキャビネット(38)とから本体(34)が構成され、
飲料を注出する注出コック(56)と、該注出コック(56)から注出される飲料を受容する容器を傾動する容器受台装置(62)とが配設された取付板(54)の後面上部に、前記開口部(38b)の幅寸法より小さな幅寸法で後方に略水平に延出する取付ブラケット(66)を設け、
前記開口部(38b)を介してキャビネット(38)内に挿入した取付ブラケット(66)を前記フランジ(40a)に載置してネジ止めすることで、前記取付板(54)を冷却槽(36)に直に取付けるようにした
ことを特徴とする飲料ディスペンサ。
【請求項２】
上端縁から前方に延出するフランジ(40a)が形成されたタンク(40)の外周囲を断熱材(42)で被覆した断熱構造の冷却槽(36)と、前方に開放する開口部(38b)が形成され、前記冷却槽(36)を覆うキャビネット(38)とから本体(34)が構成され、
飲料を注出する注出コック(56)と、該注出コック(56)を開閉操作する駆動装置(60)とが配設された取付板(54)の後面上部に、前記開口部(38b)の幅寸法より小さな幅寸法で後方に略水平に延出する取付ブラケット(66)を設け、
前記開口部(38b)を介してキャビネット(38)内に挿入した取付ブラケット(66)を前記フランジ(40a)に載置してネジ止めすることで、前記取付板(54)を冷却槽(36)に直に取付けるようにした
ことを特徴とする飲料ディスペンサ。
【請求項３】
上端縁から前方に延出するフランジ(40a)が形成されたタンク(40)の外周囲を断熱材(42)で被覆した断熱構造の冷却槽(36)と、前方に開放する開口部(38b)が形成され、前記冷却槽(36)を覆うキャビネット(38)とから本体(34)が構成され、
飲料を注出する注出コック(56)と、該注出コック(56)から注出される飲料を受容する容器を傾動する容器受台装置(62)と、該注出コック(56)を開閉操作する駆動装置(60)とからなる注出機構(64)が並列に複数配設された取付板(54)の後面上部に、前記開口部(38b)の幅寸法より小さな幅寸法で後方に略水平に延出する取付ブラケット(66)を設け、
前記開口部(38b)を介してキャビネット(38)内に挿入した取付ブラケット(66)を前記フランジ(40a)に載置してネジ止めすることで、前記取付板(54)を冷却槽(36)に直に取付けるようにした
ことを特徴とする飲料ディスペンサ。
【発明の詳細な説明】
【０００１】
【発明の属する技術分野】
この発明は、飲料ディスペンサに関し、更に詳細には、キャビネットに覆われた冷却槽に直に取付けた取付板に、注出コックおよび容器受台装置を配設した飲料ディスペンサに関するものである。
【０００２】
【従来の技術】
発泡飲料をレバー操作で注出する装置、例えば図３に示すビールサーバー１０では、本体１２の前側に配設した注出コック１４は操作用レバー１６を備え、図示しない駆動装置により該レバー１６を一方向へ倒してビールをジョッキに所定量注出した後、該レバー１６を反対方向へ倒してビールの細かい泡を前記ジョッキ中のビールに後注ぎする機能を備えている。またビールサーバー１０は、注出コック１４の下方に容器受台装置１８を備え、該受台装置１８に載置したジョッキを傾動することで、ビールの注出に際して多量の泡が発生するのを防止している。
【０００３】
前記ビールサーバー１０の本体１２は、前記注出コック１４に供給するビールを冷却するための冷却槽２０を、後方に開放するキャビネット２２により覆うと共に、該キャビネット２２の後面にリアパネル２４をネジ止めすることで構成される。そして、この本体１２の前面にネジ止めされた取付板２６に、前記注出コック１４、駆動装置および容器受台装置１８が配設されるようになっている。なお図示例では、注出コック１４、駆動装置および容器受台装置１８を配設した２枚の取付板２６,２６が本体前面に並列に配設されている。
【０００４】
【発明が解決しようとする課題】
前記取付板２６は、キャビネット２２を構成するフロントパネル２２ａに設けたネジ孔２２ｂにネジ２８を螺挿したり、またはフロントパネル２２ａに設けた通孔２２ｃに挿通したネジ３０を前記冷却槽２０に配設したブラケットのネジ孔(何れも図示せず)に螺挿することでネジ止めされる。この場合に、冷却槽２０は発泡材を用いた断熱構造であるために寸法公差が大きく、フロントパネル２２ａに設けた通孔２２ｃと冷却槽２０に設けたネジ孔との位置ズレが大きくなり、取付板２６のネジ止め作業に支障を来たすおそれがあった。
【０００５】
【発明の目的】
本発明は、従来の技術に係る飲料ディスペンサに内在している前記欠点に鑑み、これを好適に解決するべく提案されたものであって、取付板の本体に対する組立て性を向上した飲料ディスペンサを提供することを目的とする。
【０００６】
【課題を解決するための手段】
前記課題を解決し、所期の目的を達成するため、本発明に係る飲料ディスペンサは、
上端縁から前方に延出するフランジが形成されたタンクの外周囲を断熱材で被覆した断熱構造の冷却槽と、前方に開放する開口部が形成され、前記冷却槽を覆うキャビネットとから本体が構成され、
飲料を注出する注出コックと、該注出コックから注出される飲料を受容する容器を傾動する容器受台装置とが配設された取付板の後面上部に、前記開口部の幅寸法より小さな幅寸法で後方に略水平に延出する取付ブラケットを設け、
前記開口部を介してキャビネット内に挿入した取付ブラケットを前記フランジに載置してネジ止めすることで、前記取付板を冷却槽に直に取付けるようにしたことを特徴とする。
【０００７】
前記課題を解決し、所期の目的を達成するため、本願の別の発明に係る飲料ディスペンサは、
上端縁から前方に延出するフランジが形成されたタンクの外周囲を断熱材で被覆した断熱構造の冷却槽と、前方に開放する開口部が形成され、前記冷却槽を覆うキャビネットとから本体が構成され、
飲料を注出する注出コックと、該注出コックを開閉操作する駆動装置とが配設された取付板の後面上部に、前記開口部の幅寸法より小さな幅寸法で後方に略水平に延出する取付ブラケットを設け、
前記開口部を介してキャビネット内に挿入した取付ブラケットを前記フランジに載置してネジ止めすることで、前記取付板を冷却槽に直に取付けるようにしたことを特徴とする。
前記課題を解決し、所期の目的を達成するため、本願の更に別の発明に係る飲料ディスペンサは、
上端縁から前方に延出するフランジが形成されたタンクの外周囲を断熱材で被覆した断熱構造の冷却槽と、前方に開放する開口部が形成され、前記冷却槽を覆うキャビネットとから本体が構成され、
飲料を注出する注出コックと、該注出コックから注出される飲料を受容する容器を傾動する容器受台装置と、該注出コックを開閉操作する駆動装置とからなる注出機構が並列に複数配設された取付板の後面上部に、前記開口部の幅寸法より小さな幅寸法で後方に略水平に延出する取付ブラケットを設け、
前記開口部を介してキャビネット内に挿入した取付ブラケットを前記フランジに載置してネジ止めすることで、前記取付板を冷却槽に直に取付けるようにしたことを特徴とする。
【０００８】
【発明の実施の形態】
次に、本発明に係る飲料ディスペンサにつき、好適な実施例を挙げて、添付図面を参照しながら以下説明する。この実施例では、飲料ディスペンサとしてビールサーバーを例示して説明するが、これに限定されるものでなく、ジュースやその他の飲料等を注出するディスペンサでもよいことは勿論である。
【０００９】
図１は、好適な実施例に係るビールサーバーを示すものであって、該ビールサーバー３２の本体３４は、後述する注出コック５６に供給するビールを冷却するための冷却槽３６を、キャビネット３８により覆うことで構成される。このキャビネット３８のフロントパネル３８ａには、前方に開放する所定幅の開口部３８ｂが上下方向の全長に亘って形成され、この開口部３８ｂを介して前記冷却槽３６が露出するようになっている。またフロントパネル３８ａの開口部３８ｂを画成する左右両端縁部には、前方に向けて略直角に折曲された折曲部３８ｃ,３８ｃが形成され、該折曲部３８ｃ,３８ｃの前端縁に後述する取付板５４の裏面が当接するよう構成される。
【００１０】
前記冷却槽３６は、図２に示す如く、上方に開放するタンク４０の外周囲を断熱材４２で被覆した断熱構造とされ、タンク４０の内部に貯留した冷却用水に浸漬するようにビール供給管(図示せず)が収容され、該ビール供給管を流通するビールを冷却水により冷却するよう構成される。この冷却槽３６の前部には、前記キャビネット３８の開口部３８ｂに臨む位置に、左右に離間して連結部材４４,４４が設けられ、各連結部材４４を介して前記注出コック５６が連結されるようになっている。また、タンク４０の上端縁には外方に延出するフランジ４０ａが形成され、前側に延出するフランジ４０ａにおける前記開口部３８ｂに臨む位置に、複数のネジ孔４０ｂが上下方向に螺設されている。
【００１１】
前記キャビネット３８における冷却槽３６の配設位置より下方に機械室４６が画成され、該機械室４６には、その前側に電装箱４８が配置されると共に後側に冷凍機構(図示せず)が配置される。また、キャビネット３８における機械室４６に対応する左右および後部位置には、機械室４６内に設置される各種機器のメンテナンス用の穴部５０(右側の穴部のみ図示)が形成されると共に、該穴部５０にはエアフィルタ５２が着脱可能に配設されている。
【００１２】
前記本体３４における前側に、その上下方向に所定長さで延在する取付板５４が着脱可能に取付けられる。そして、この取付板５４の前面に、ビール(飲料)や泡を注出する注出コック５６と、この注出コック５６の上方に位置して該コック５６における操作用レバー５８の開閉操作を自動的に行なう駆動装置６０、および注出コック５６の下方に位置してビールが受容されるジョッキ(容器)が載置されると共に該ジョッキを傾動可能な容器受台装置６２からなる注出機構６４が、左右に離間して２組配設されている。前記取付板５４は、所定長さの矩形板状の本体部５４ａにおける幅方向の両端縁に、後側(本体側)に向けて所定角度で折曲する折曲部５４ｂ,５４ｂが形成され、両折曲部５４ｂ,５４ｂの後端縁(開放端縁)が前記キャビネット３８におけるフロントパネル３８ａの前面に当接すると共に、該フロントパネル３８ａの折曲部３８ｃ,３８ｃが本体部５４ａの裏面に当接した状態で、当該取付板５４が本体３４に取付けられるようになっている。なお、取付板５４の本体部５４ａと前記開口部３８ｂに臨む冷却槽３６との間には、前記フロントパネル３８ａの折曲部３８ｃ,３８ｃの前後長分の空間が画成され、前記駆動装置６０や容器受台装置６２を前記電装箱４８に接続するリード線の配線処理に該空間が供される。
【００１３】
前記取付板５４の裏面上部には、前記キャビネット３８における開口部３８ｂの幅寸法より小さい幅寸法に設定された取付ブラケット６６が、図２に示すように後方に略水平に延出するよう設けられる。また取付ブラケット６６には、上下に貫通する複数の通孔６６ａが、前記冷却槽３６のフランジ４０ａに設けたネジ孔４０ｂと対応する位置に形成されている。すなわち、前述したように取付板５４の折曲部５４ｂ,５４ｂの後端縁をキャビネット３８のフロントパネル３８ａに当接すると共に、開口部３８ｂから本体内に挿入した取付ブラケット６６を冷却槽３６のフランジ４０ａに載置し、該ブラケット６６の通孔６６ａに上方から挿通したネジ６８を、フランジ４０ａの対応するネジ孔４０ｂに螺挿することで、当該取付板５４が冷却槽３６に直に取付け固定されるよう構成される。
【００１４】
なお、前記各注出機構６４の注出コック５６は、取付板５４の裏側に臨む取付部材(図示せず)が、冷却槽３６の対応する前記連結部材４４にＯリング(図示せず)を介して夫々水密的に連結されることで、各注出コック５６と冷却槽３６とが位置決め固定されるようになっている。また前記ビール供給管が、連結部材４４の内部において注出コック５６に連通接続されるよう構成される。
【００１５】
【実施例の作用】
次に、実施例に係るビールサーバーの作用につき以下説明する。
【００１６】
前記取付板５４の本体３４に対する取付けは、該取付板５４に注出コック５６、駆動装置６０および容器受台装置６２からなる２組の注出機構６４,６４を配設した状態で、前記各注出コック５６の取付部材を対応する前記連結部材４４に水密的に接続すると共に、取付板５４における取付ブラケット６６を、前記キャビネット３８の開口部３８ｂから本体内に挿入して前記冷却槽３６のフランジ４０ａに載置する。次に、取付ブラケット６６の各通孔６６ａに上方から挿通したネジ６８を、フランジ４０ａの対応するネジ孔４０ｂに夫々螺挿することで、当該取付板５４が冷却槽３６に直に取付け固定される。このように取付板５４は、前記キャビネット３８の開口部３８ｂで露出する冷却槽３６に直にネジ止め固定されるものであるから、通孔６６ａとネジ孔４０ｂとの位置ズレは小さく、組立て性は良好となる。また、前記注出コック５６は、冷却槽３６に配設されている連結部材４４に直に取付けられるから、該コック５６の冷却槽３６に対する相対位置は正確である。従って、この注出コック５６と共に取付板５４に配設される前記駆動装置６０および容器受台装置６２の位置も、注出コック５６に対して精度良く位置決めされる。なお、必要に応じて取付板５４の下部を、図示しないネジを介してキャビネット３８のフロントパネル３８ａに固定するようにしてもよい。
【００１７】
前記取付板５４と冷却槽３６との間には、前記キャビネット３８のフロントパネル３８ａにおける折曲部３８ｃ,３８ｃにより所要の空間が画成され、この空間を利用して前記駆動装置６０や容器受台装置６２と電装箱４８とを接続するリード線を配線することができる。すなわち、従来のビールサーバー(図３に示すタイプ)では、前記リード線を冷却槽の上面から背面を経由し、更に底面から機械室内の電装箱まで引き回していたが、実施例では取付板５４の裏側を機械室４６まで配線するだけでよく、リード線の長さを短かくし得ると共に配線作業も簡単となる。またフロントパネル３８ａにおける折曲部３８ｃ,３８ｃの前端縁が取付板５４の裏面に当接しているから、前記開口部３８ｂを介して本体内に水等が侵入するのは防止される。更に、キャビネット３８の開口部３８ｂを取付板５４により覆うよう構成したので、従来のようにキャビネットの後部開口を覆うリアパネルを省略することができ、部品点数を低減し得ると共にネジ止め箇所も少なくなり、コストを低廉に抑えることができる。
【００１８】
実施例のビールサーバー３２では、２組の注出機構６４,６４を１枚の取付板５４に配設したから、左右の注出機構６４,６４での位置のバラツキを軽減して一体感のある外観が得られる。また、図３に示す従来の技術のように注出機構を別々の取付板を介して本体に配設する場合は、左右の取付板の間に隙間を生じ、この隙間にゴミ等が溜まり易く、清掃も煩わしかった。しかるに、実施例では隙間は生じないから清掃が容易で常に衛生的に保つことができる。
【００１９】
実施例では、１枚の取付板に２組の注出機構を配設した場合で説明したが、１組または３組以上の注出機構を１枚の取付板に並列に配設してもよく、この場合であっても本体に対する取付板の組立て性は良好となる。また実施例では、取付板に注出コック、駆動装置および容器受台装置を配設し、注出コックの操作用レバーを駆動装置により自動操作するよう構成したが、駆動装置を省略して手動でレバー操作を行なう構成であってもよい。更に、取付板には注出コックと駆動装置のみを配設し、容器受台装置に代えて単にジョッキを載置する台が取付板に配設されるものであってもよい。更にまた、キャビネットに開設される開口部は、冷却槽に対して取付板を直に取付け得るものであれば、実施例のようにキャビネットの上下方向の全長に亘って形成されていなくてもよく、必要箇所にのみ設けられていればよい。
【００２０】
【発明の効果】
以上に説明した如く、本発明に係る飲料ディスペンサによれば、注出コックと容器受台装置、あるいは注出コックと駆動装置とを配設した取付板を、本体を構成する冷却槽に直に取付けるよう構成したから、両者の相対位置のズレは少なく、良好な組立て性が得られる。また、１枚の取付板に複数の注出機構を配設したので、左右の注出機構での位置のバラツキを軽減して一体感のある外観が得られる。また、別々の取付板を介して本体に配設した場合のように隙間が生じることがなく、清掃が容易で常に衛生的に保つことができる。
【図面の簡単な説明】
【図１】  本発明の好適な実施例に係るビールサーバーの要部分解斜視図である。
【図２】  実施例に係るビールサーバーの本体から取付板等を取外した状態で示す一部切欠き側面図である。
【図３】  従来の技術に係るビールサーバーの要部分解斜視図である。
【符号の説明】
３４ 本体，３６ 冷却槽，３８ キャビネット，３８ｂ 開口部，４０ タンク
４０ａ フランジ，４２ 断熱材，５４ 取付板，５６ 注出コック
６０ 駆動装置，６２ 容器受台装置，６６ 取付ブラケット
【図１】
0003953830.tif 000002
【図２】
0003953830.tif 000003
【図３】
0003953830.tif 000004